(57)【要約】【課題】締結ネジに緩みが生じるのを防止することにより、固定部材と可動部材との間にガタが生じるのを防止する。【解決手段】一対の固定駒３、６を有する固定部材２と、両固定駒３、６間に回動自在に挿着される可動駒１２を有する可動部材１１と、両固定駒３、６と可動駒１２とを相対的に回動自在に連結する締結ネジ１６とを備える。締結ネジ１６と可動駒１２との間には筒状の軸受１５が装着され、軸受１５の外周側は可動駒１２側に固定され、内周側に締結ネジ１６が回動自在に挿通する。可動駒１２は軸受１５を介して締結ネジ１６の周面に接触するので、固定駒３、６と可動駒１２とを相対的に回動させた際に、可動駒１２に締結ネジ１６が引き摺られて締結ネジ１６に緩みが生じるようなことはなく、固定駒３、６と可動駒１２との間にガタが生じることはなく、安定した回動特性が得られることになる。【選択図】　　　　図３
2004036856.tif 000002
【特許請求の範囲】
【請求項１】
対向して設けられる一対の固定駒を有する固定部材と、前記固定駒間に相対的に回動自在に挿着される可動駒を有する可動部材と、前記一対の固定駒と前記可動駒との間を挿通して、両者を相対的に回動自在に連結する締結ネジとを備えた蝶番であって、前記締結ネジと前記可動駒との間に筒状の軸受を装着し、該軸受の外周側を可動駒側に固定し、内周側に締結ネジを回動自在に挿通させたことを特徴とする蝶番。
【請求項２】
前記軸受は、金属又は合成樹脂から形成されていることを特徴とする請求項１に記載の蝶番。
【発明の詳細な説明】
【０００１】
【発明の属する技術分野】
本発明は、メガネフレームのヨロイとテンプルとを相対的に回動自在に連結する蝶番に関し、特に、ガタが生じるのを防止する機能を備えた蝶番に関するものである。
【０００２】
【従来の技術】
メガネフレームのヨロイとテンプルとを相対的に回動自在に連結する蝶番には種々のタイプのものがあり、例えば、対向して設けられる一対の固定駒を有する固定部材と、固定部材の一対の固定駒間に回動自在に挿着される可動駒を有する可動部材と、一対の固定駒と可動駒との間を挿通して、両者を相対的に回動自在に連結する締結ネジとを備えたものが知られている。
【０００３】
そして、上記のような構成の蝶番の固定部材をメガネフレームのヨロイ側に連結し、可動部材をテンプル側に連結することで、ヨロイとテンプルとを相対的に回動自在に連結することができるものである。
【０００４】
【発明が解決しようとする課題】
しかしながら、上記のような構成の蝶番にあっては、ヨロイに対してテンプルを相対的に回動させたときに、可動駒が締結ネジの周面を回動することになるので、締結ネジが可動駒に引き摺られて締結ネジに緩む方向への力が加わることになる。このため、回動を繰り返すことによって締結ネジに次第に緩みが生じ、短期間でヨロイとテンプルとの間にガタが生じてしまう。このため、定期的に締結ネジを増し締めして緩みを防止しなければならず、そのメンテナンスに手間がかかることになる。
【０００５】
本発明は、前記のような従来のもののもつ問題を解決したものであって、テンプルとヨロイとを相対的に回動させることを繰り返しても、両者間にガタが生じることがなく、長期的に安定した性能が得られる蝶番を提供することを目的とするものである。
【０００６】
【課題を解決するための手段】
本発明は、上記のような課題を解決するために、対向して設けられる一対の固定駒を有する固定部材と、前記固定駒間に相対的に回動自在に挿着される可動駒を有する可動部材と、前記一対の固定駒と前記可動駒との間を挿通して、両者を相対的に回動自在に連結する締結ネジとを備えた蝶番であって、前記締結ネジと前記可動駒との間に筒状の軸受を装着し、該軸受の外周側を可動駒側に固定し、内周側に締結ネジを回動自在に挿通させた手段を採用したものである。また、前記軸受は、金属又は合成樹脂から形成されている手段を採用したものである。
【０００７】
【作用】
本発明は、上記のような手段を採用したことにより、例えば固定部材をメガネフレームのヨロイに連結し、可動部材をテンプルに連結し、ヨロイとテンプルとを相対的に回動させると、固定駒と可動駒とが相対的に回動することになる。この場合、締結ネジと可動駒との間には軸受が装着されているので、可動駒は軸受を介して締結ネジの周面上を回動することになり、締結ネジが可動駒に引き摺られるのが防止され、締結ネジに緩みが生じるのが防止される。
【０００８】
【発明の実施の形態】
以下、図面に示す本発明の実施の形態について説明する。
図１〜図３には、本発明による蝶番の一実施の形態が示されていて、この蝶番１は、固定部材２と可動部材１１と締結ネジ１６と軸受１５とを備えている。
【０００９】
固定部材２は、所定の間隔をおいて対向して設けられる一対の略円板状の固定駒３、６と、両固定駒３、６の根元部に一体に設けられる基台１０とからなるものであって、両固定駒３、６の中央部には軸線方向に貫通する貫通孔４、７が設けられるようになっている。
【００１０】
一方の固定駒３の貫通孔４の外側開口部には、貫通孔４を中心とする椀形状の凹部５が設けられ、この凹部５内に非接触状態で後述する締結ネジ１６の頭部１７が位置するようになっている。
【００１１】
他方の固定駒６の貫通孔７の内周面には全長に渡って雌ネジ８が螺設され、この雌ネジ８に後述する締結ネジ１６の雄ネジ１９が螺合されるようになっている。他方の固定駒６の貫通孔７の内側開口部には、貫通孔７を中心として椀形状の凹部９が設けられ、この凹部９の内面に後述する軸受１５の下端部が当接するようになっている。
【００１２】
可動部材１１は、固定部材２の一対の固定駒３、６間に回動自在に挿着される略円板状の可動駒１２と、この可動駒１２の根元部に一体に設けられる基台１４とからなるものであって、可動駒１２の中央部には軸線方向に貫通する貫通孔１３が設けられるようになっている。
【００１３】
締結ネジ１６は、棒状をなす脚部１８と、脚部１８の一端部に一体に設けられる略円板状の頭部１７とからなるものであって、脚部１８の他端部には固定部材２の他方の固定駒６の雌ネジ８と相互に螺合可能な雄ネジ１９が螺設されるようになっている。
【００１４】
軸受１５は、筒状をなすものであって、外周側を可動部材１１の可動駒１２の貫通孔１３の内周側に嵌合させることで、可動駒１２側に一体に装着されるようになっている。軸受１５は、可動駒１２の貫通孔１３内に装着したときに、上端部が可動駒１２の上面から突出して一方の固定駒３の貫通孔４内に位置し、下端部が可動駒１２の下面から突出して他方の固定駒６の凹部９の内面に当接するように、長さが設定されている。
【００１５】
軸受１５の素材としては、締結ネジ１６との間の摩擦抵抗を低減させることができるものであれば特に制限されるものではなく、例えば、洋白、ステンレス等の金属、ポリプロピレン等の合成樹脂を挙げることができる。
【００１６】
そして、上記のように構成したこの実施の形態による蝶番１を例えばメガネフレーム（図示せず）に適用し、固定部材２の基台１０を溶接等によってメガネフレームのヨロイ側に連結し、可動部材１１の基台１４を溶接等によってテンプル側に連結する。そして、固定部材２の両固定駒３、６間に可動部材１１の可動駒１２を挿入し、可動駒１２の貫通孔１３内に軸受１５を挿着し、締結ネジ１６を一方の固定駒３の貫通孔４及び軸受１５の内側に挿通させ、その雄ネジ１９を他方の固定駒６の雌ネジ８に螺合させ、所定のトルクで締め付ける。このようにして、この実施の形態による蝶番１によってメガネフレームのヨロイとテンプルとを回動自在に連結することができるものである。
【００１７】
上記のように構成したこの実施の形態による蝶番１にあっては、メガネフレームのヨロイとテンプルとを相対的に回動させて、固定部材２と可動部材１１とを相対的に回動させたときに、可動部材１１は締結ネジ１６の周面に非接触の状態となっており、しかも、締結ネジ１６と軸受１５との間は摩擦係数が極めて小さく設定されているので、締結ネジ１６が軸受１５を介して可動部材１１に引き摺られるようなことはない。従って、締結ネジ１６に緩みが生じることがないので、固定駒３、６と可動駒１２との間にガタが生じることはなく、定期的に増し締めするような煩雑なメンテナンスを必要とすることなく、長期的に安定した回動特性が得られることになる。
【００１８】
なお、前記の説明においては、この発明による蝶番をメガネフレームのヨロイとテンプルとの連結に適用したが、その他の相対的に回動自在に連結される二つの部材の連結部に適用しても良いものであり、その場合にも同様の作用効果を奏するのは勿論のことである。
【００１９】
【発明の効果】
本発明は、前記のように構成したことにより、可動駒は締結ネジの周面に直接に接触することはなく、軸受を介して接触することになるので、固定駒と可動駒との相対的な回動の際に、可動駒に締結ネジが引き摺られて締結ネジに緩みが生じることはない。従って、例えば、メガネフレームのヨロイとテンプルとの連結に本発明による蝶番を用いた場合には、ヨロイとテンプルとの回動を繰り返し行っても、締結ネジに緩みが生じることがないので、定期的に締結ネジを増し締めするような煩雑なメンテナンスを必要とすることなく、長期的に安定した回動特性が得られることになる。
【図面の簡単な説明】
【図１】本発明による蝶番の一実施の形態を示した斜視図であって、固定部材と可動部材と軸受と締結ネジとの関係を示した説明図である。
【図２】図１に示すものの固定部材の固定駒間に可動部材の可動駒を挿入した状態を示した斜視図である。
【図３】図１に示すものの組立てた状態を示した断面図である。
【符号の説明】
１……蝶番
２……固定部材
３……一方の固定駒
４、７、１３……貫通孔
５、９……凹部
６……他方の固定駒
８……雌ネジ
１０、１４……基台
１１……可動部材
１２……可動駒
１５……軸受
１６……締結ネジ
１７……頭部
１８……脚部
１９……雄ネジ
【図１】
2004036856.tif 000003
【図２】
2004036856.tif 000004
【図３】
2004036856.tif 000005